(57)【要約】【課題】ディスクとランプロードとの接触を簡素な構成で確実に回避する。【解決手段】浮上スライダー１３が取着された第１アーム１８の箇所に対して光ディスク１Ａから離れる方向に位置した箇所に係合片６４が設けられている。揺動アーム５がロード位置（イ）からアンロード位置（ロ）方向に向かって揺動されると、係合片６４がランプロード９のガイド面９００２に係合しガイド面９００２の傾斜に沿って移動される。これにより、第１アーム１８は光ディスク１Ａの厚さ方向で光ディスク１Ａから放れる方向に弾性変形され、浮上スライダー１３が光ディスク１Ａの表面上から離れる方向に移動される。【選択図】図１３
2006179103.tif 000002
【特許請求の範囲】
【請求項１】
光ディスクを着脱可能に保持し前記光ディスクを保持した状態で回転するターンテーブルと、
前記ターンテーブルに装着された光ディスクの径方向に揺動可能に設けられた揺動アームと、
前記揺動アームの先部に設けられ、回転する前記光ディスクに対して情報の記録および／または再生用の光ビームを照射し、前記照射された光ビームの前記光ディスクでの反射光による反射光ビームを検出する光ピックアップとを備え、
前記揺動アームは、前記ターンテーブルに装着された光ディスクの厚さ方向に重ねられ一体的に揺動する複数のアームで構成され、
前記揺動アームを構成する複数のアームのうち最も光ディスク側に位置するアームは、前記光ピックアープの一部を構成する対物レンズが設けられた第１アームであり、
前記第１アームは、長さを有し前記光ディスクの厚さ方向に弾性変形可能でその長さ方向の先部に、前記対物レンズが設けられると共に浮上スライダーが設けられ、かつ、該第１アームの先部を前記光ディスクの厚さ方向に弾性変形させるための係合片が設けられ、
前記揺動アームの揺動により前記揺動アームの先部が前記ターンテーブルに装着された光ディスクから該光ディスクの径方向に離れる際に、前記係合片に係合して前記第１アームの先部を弾性変形させ前記浮上スライダーを光ディスクから該光ディスクの厚さ方向に離れた箇所に位置させるガイド面を有するランプロードが設けられ、
前記係合片は、前記浮上スライダーが設けられた前記第１アームの箇所に対して前記光ディスクの厚さ方向に離れた箇所に設けられている、
ことを特徴とする光ディスク装置。
【請求項２】
前記第１アームは、前記対物レンズと前記浮上スライダーが設けられた本体片を有し、前記本体片の先部に該先部から屈曲し前記光ディスクの厚さ方向で前記光ディスクから離れる方向に延在する屈曲片が設けられ、前記係合片は前記屈曲片の先端に設けられていることを特徴とする請求項１記載の光ディスク装置。
【請求項３】
前記第１アームは、前記長さと直交する方向の幅を有し、前記係合片は、前記幅方向の中心を通る仮想線上を延在するように設けられていることを特徴とする請求項１記載の光ディスク装置。
【請求項４】
前記第１アームは、前記対物レンズと前記浮上スライダーが設けられた本体片を有し、前記本体片の先部に該先部から屈曲し前記光ディスクの厚さ方向で前記光ディスクから離れる方向に延在する屈曲片が設けられ、前記係合片は前記屈曲片の先端に設けられ、前記第１アームは、前記長さと直交する方向の幅を有し、前記係合片および屈曲片は、前記幅方向の中心を通る仮想線上を延在するように設けられていることを特徴とする請求項１記載の光ディスク装置。
【請求項５】
前記対物レンズは前記浮上スライダーに設けられていることを特徴とする請求項１記載の光ディスク装置。
【請求項６】
前記揺動アームは、前記ターンテーブルに装着された光ディスクの厚さ方向に重ねられ一体的に揺動する３つのアームで構成され、前記第１アームの前記光ディスクと離れた側に重ねられる第２アームには、前記光ピックアップの一部を構成するコリメータレンズが取着され、前記第２アームの前記光ディスクと離れた側に重ねられる第３アームには、前記光ピックアップの一部を構成する光源および受光素子が取着されていることを特徴とする請求項１記載の光ディスク装置。
【請求項７】
磁気ディスクを着脱可能に保持し前記磁気ディスクを保持した状態で回転するターンテーブルと、
前記ターンテーブルに装着された磁気ディスクの径方向に揺動可能に設けられた揺動アームと、
前記揺動アームの先部に設けられ、回転する前記磁気ディスクに対して情報の記録および／または再生を行う磁気ヘッドとを備え、
前記揺動アームは、長さを有し前記磁気ディスクの厚さ方向に弾性変形可能でその長さ方向の先部に、前記磁気ヘッドが設けられると共に浮上スライダーが設けられ、かつ、該揺動アームの先部を前記磁気ディスクの厚さ方向に弾性変形させるための係合片が設けられ、
前記揺動アームの揺動により前記揺動アームの先部が前記ターンテーブルに装着された磁気ディスクから該磁気ディスクの径方向に離れる際に、前記係合片に係合して前記揺動アームの先部を弾性変形させ前記浮上スライダーを磁気ディスクから該磁気ディスクの厚さ方向に離れた箇所に位置させるガイド面を有するランプロードが設けられ、
前記係合片は、前記浮上スライダーが設けられた前記揺動アームの箇所に対して前記磁気ディスクの厚さ方向に離れた箇所に設けられている、
ことを特徴とする磁気ディスク装置。
【発明の詳細な説明】
【技術分野】
【０００１】
本発明はディスク装置に関する。
【背景技術】
【０００２】
ハードディスクドライブ装置においては、多くの場合、アームの一端に浮上式の磁気ヘッドを設け、アームの他端を磁気ディスクの厚さ方向に延在する軸線を中心に揺動させることで磁気ヘッドを磁気ディスクの半径方向に移動させている。
このようなハードディスク装置において、動作時に磁気ヘッドを磁気ディスクの記録面上に位置させ（ロードさせ）、また、非動作時に記録面上から磁気ディスクの半径方向外方に退避させる（アンロードする）ロード／アンロード機構の１つとしてランプロード方式が知られている。
ランプロード方式は、アームの先端に係合部を設け、ハードディスクドライブ装置の非動作時に、アームを磁気ディスクの半径方向外方に揺動させ、アームの先端の係合部を磁気ディスクの外周近傍に配設されたランプロードに係合させることで、磁気ヘッドを磁気ディスクの表面から離れる方向に移動させてその状態を保持させるものである。
そして、このようなハードディスクドライブ装置において、振動や衝撃が加わった際に、ランプロードと磁気ディスクの衝突を回避するために、ランプロードを磁気ディスクから磁気ディスクの半径方向外方に退避させる機構を設けることが提案されている（特許文献１）。
【特許文献１】特開２００２−９３０９０号公報
【発明の開示】
【発明が解決しようとする課題】
【０００３】
一方、光ディスクや磁気ディスクがスピンドルモータのターンテーブルに装脱可能に装着されるディスク装置においても、上述した浮上式の磁気ヘッドと同様の原理で動作する浮上式の光ピックアップや磁気ヘッドを採用したものがある。
そして、このような浮上式の光ピックアップや磁気ヘッドを採用した場合においても、光ピックアップや磁気ヘッドのロード／アンロード機構としてランプロード方式を用いることが考えられる。
このようなディスク装置では、光ディスクや磁気ディスクがターンテーブルに装着されるまでの間、光ディスクや磁気ディスクの姿勢が定まらないため、光ディスクや磁気ディスクとランプロードとが接触しやすくなるおそれがある。
したがって、光ディスクや磁気ディスクとランプロードとの接触を確実に回避するためには、ディスクとランプロードとの間の距離を大きく確保することが必要となり、上記従来技術のようにランプロードを退避させる機構を設けることも考えられるが、このような機構は複雑でコストがかかる欠点がある。
本発明はこのような事情に鑑みなされたもので、その目的はディスクとランプロードとの接触を簡素な構成で確実に回避することができるディスク装置を提供することにある。
【課題を解決するための手段】
【０００４】
上記目的を達成するために本発明は、光ディスクを着脱可能に保持し前記光ディスクを保持した状態で回転するターンテーブルと、前記ターンテーブルに装着された光ディスクの径方向に揺動可能に設けられた揺動アームと、前記揺動アームの先部に設けられ、回転する前記光ディスクに対して情報の記録および／または再生用の光ビームを照射し、前記照射された光ビームの前記光ディスクでの反射光による反射光ビームを検出する光ピックアップとを備え、前記揺動アームは、前記ターンテーブルに装着された光ディスクの厚さ方向に重ねられ一体的に揺動する複数のアームで構成され、前記揺動アームを構成する複数のアームのうち最も光ディスク側に位置するアームは、前記光ピックアープの一部を構成する対物レンズが設けられた第１アームであり、前記第１アームは、長さを有し前記光ディスクの厚さ方向に弾性変形可能でその長さ方向の先部に、前記対物レンズが設けられると共に浮上スライダーが設けられ、かつ、該第１アームの先部を前記光ディスクの厚さ方向に弾性変形させるための係合片が設けられ、前記揺動アームの揺動により前記揺動アームの先部が前記ターンテーブルに装着された光ディスクから該光ディスクの径方向に離れる際に、前記係合片に係合して前記第１アームの先部を弾性変形させ前記浮上スライダーを光ディスクから該光ディスクの厚さ方向に離れた箇所に位置させるガイド面を有するランプロードが設けられ、前記係合片は、前記浮上スライダーが設けられた前記第１アームの箇所に対して前記光ディスクの厚さ方向に離れた箇所に設けられていることを特徴とする。
また、本発明は、磁気ディスクを着脱可能に保持し前記磁気ディスクを保持した状態で回転するターンテーブルと、前記ターンテーブルに装着された磁気ディスクの径方向に揺動可能に設けられた揺動アームと、前記揺動アームの先部に設けられ、回転する前記磁気ディスクに対して情報の記録および／または再生を行う磁気ヘッドとを備え、前記揺動アームは、長さを有し前記磁気ディスクの厚さ方向に弾性変形可能でその長さ方向の先部に、前記磁気ヘッドが設けられると共に浮上スライダーが設けられ、かつ、該揺動アームの先部を前記磁気ディスクの厚さ方向に弾性変形させるための係合片が設けられ、前記揺動アームの揺動により前記揺動アームの先部が前記ターンテーブルに装着された磁気ディスクから該磁気ディスクの径方向に離れる際に、前記係合片に係合して前記揺動アームの先部を弾性変形させ前記浮上スライダーを磁気ディスクから該磁気ディスクの厚さ方向に離れた箇所に位置させるガイド面を有するランプロードが設けられ、前記係合片は、前記浮上スライダーが設けられた前記揺動アームの箇所に対して前記磁気ディスクの厚さ方向に離れた箇所に設けられていることを特徴とする。
【発明の効果】
【０００５】
本発明によれば、係合片が、浮上スライダーが取着された箇所に対して光ディスクや磁気ディスクから離れる方向に位置した箇所に設けられているため、ランプロードのガイド面を、光ディスクまたは磁気ディスクからその厚さ方向に離れた位置に配置することが可能となる。
このため、ランプロードのガイド面が光ディスクや磁気ディスクからその厚さ方向に離れた箇所に位置することによって、ランプロードと光ディスクや磁気ディスクとの接触を確実に回避することができる。
【発明を実施するための最良の形態】
【０００６】
本発明は、ランプロードに係合する係合片を、浮上スライダーが設けられた箇所に対して光ディスクや磁気ディスクの厚さ方向に離れた箇所に設けることで上記目的を実現した。
【実施例１】
【０００７】
以下、本発明を光ディスク装置に適用した実施例について説明する。
図１は実施例１の光ディスク装置の構成を示す分解斜視図、図２は光ディスク装置の制御系を示すブロック図である。
図３は揺動アームの斜視図、図４は揺動アームを上方から見た分解斜視図、図５は揺動アームを下方から見た分解斜視図、図６はＯＰベース部の分解斜視図、図７はコリメータレンズ・アクチュエータ部の分解斜視図、図８はスライダー・サスペンション部の分解斜視図、図９は光学系の原理図、図１０はレンズプレートの製造方法を示す説明図、図１１はコリメータレンズによる焦点位置補正の原理図である。
図１２は第１アーム１８の平面図である。
図１３は実施例１におけるロード／アンロード動作の説明図、図１４は実施例１における光ディスク１Ａとランプロード９との位置関係を示す説明図である。
図１に示すように、光ディスク装置１００は、８５.６ｍｍ（長さ）×５４ｍｍ（幅）×５ｍｍ（厚さ）サイズ（PCMCIAのType２サイズ）のディスクカートリッジ１用である。
まず、ディスクカートリッジ１について説明する。
ディスクカートリッジ１は、光ディスク１Ａと該光ディスク１Ａを収容したカートリッジ２から構成されている。光ディスク１Ａは通常、カートリッジ２の内部に収められた状態で保管及び使用される。
光ディスク１Ａは環板状を呈し、その中心孔の周囲に円盤状の磁性片（ハブ）が接着されており、ハブにより後述するスピンドルモータ３の回転軸との位置合わせや磁力による吸着が行なわれるように構成されている。
なお、本明細書において光ディスクとは、光ビームを照射することで情報の記録および／または再生を行うディスク状記録媒体（光ディスク）と、磁場をかけた状態で光ビームを照射することで情報の記録を行いかつ光ビームを照射することで情報の再生を行うディスク状記録媒体（光磁気ディスク）との双方を含むものとする。
カートリッジ２の下面には、開閉可能なシャッターが取り付けられており、光ディスク装置１００内部にローディングされる際にそのシャッターは開かれ、その開口部を通じて後述する光ピックアップ装置２００による読み書きが行なわれるようになっている。
【０００８】
光ディスク装置１００は、矩形板状の底板を有するシャーシ４と、底部が開放されシャーシ４上に合わされるトップカバー１２を有し、これらシャーシ４およびトップカバー１２により構成される収容空間内に、スピンドルモータ３と、ターンテーブル３Ａと、電気回路基板１１と、光ピックアップ装置２００とが収容されている。
スピンドルモータ３は、シャーシ４の凹部内に固定され、ターンテーブル３Ａはスピンドルモータ３の回転軸に固定され、ターンテーブル３Ａはスピンドルモータ３により回転駆動するように構成されている。
ターンテーブル３Ａは、光ディスク１Ａを着脱可能に保持するチャック機構を有している。すなわち、チャック機構は、ディスクカートリッジ１が図１に示すように矢印の方向からターンテーブル３Ａ上に挿入された際、光ディスク１Ａのハブを磁力でチャッキングして回転するように構成されている。
電気回路基板１１は、シャーシ４に固定されている。
【０００９】
揺動アーム５は、ターンテーブル３Ａに装着された光ディスク１Ａの径方向に揺動可能に設けられている。
揺動アーム５には、コイル３２Ａ（図３参照）が設けられており、このコイル３２Ａは、図１に示すように、フレキシブル基板１０を介して電気回路基板１１と電気的に接続されて駆動電流が供給されるようになっている。
また、揺動アーム５近傍のシャーシ４には磁気回路７が設けられている。この磁気回路７はマグネットを有し、コイル３２Ａと共にボイスコイルモータを構成し、このボイスコイルモータによって揺動アーム５を揺動させる揺動用モータ１０５（図２参照）が構成されている。
【００１０】
また、揺動アーム５には光ピックアップ装置２００が設けられている。
そして、光ピックアップ装置２００は、揺動用モータ１０５によって揺動アーム５が揺動し、これにより光ピックアップ装置２００が光ディスク１Ａ上の所定の記録トラックまで移動されるように構成されている。
また、光ピックアップ装置２００には光ビームの焦点位置を調整する後述するフォーカシングアクチュエータ９０（図４、図５参照）が設けられている。
【００１１】
図２に示すように、スピンドルモータ３は、システムコントローラ１０７及びサーボ制御部１０９により所定の回転数で駆動制御される構成になっている。
信号変復調部及びＥＣＣブロック１０８は、信号処理部１２０から出力される信号の変調、復調及びＥＣＣ（エラー訂正符号）の付加を行う。光ピックアップ装置２００は、システムコントローラ１０７及びサーボ制御部１０９からの指令に従って回転する光ディスク１Ａの信号記録面に対して光ビームを照射する。このような光照射により光ディスク１Ａに対する光信号の記録、再生が行われる。
また、光ピックアップ装置２００は、光ディスク１Ａの信号記録面からの反射光ビームに基づいて、後述するような各種の光ビームを検出し、各光ビームに対応する信号を信号処理部１２０に供給できるように構成されている。
【００１２】
前記信号処理部１２０は、各光ビームに対応する検出信号に基づいてサーボ制御用信号、すなわち、フォーカスエラー信号、トラッキングエラー信号、ＲＦ信号、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１Ａに記録された信号を再生信号として受け取ることができるように構成されている。
【００１３】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
スピンドルモータ３の制御と、揺動用モータ１０５の制御と、前記フォーカシングアクチュエータ９０の制御は、それぞれサーボ制御部１０９により行われる。
また、サーボ制御部１０９は、信号処理部１２０から入力されるフォーカスエラー信号、トラッキングエラー信号、ＲＦ信号などに基づいて、揺動用モータ１０５、前記フォーカシングアクチュエータ９０に供給するための駆動信号（駆動電流）をそれぞれ生成するように構成されている。
また、レーザ制御部１２１は、光ピックアップ装置２００における光ビーム源を制御するものである。
【００１４】
次に光ピックアップ装置２００について詳細に説明する。
図４、図５に示すように、揺動アーム５は長さを有し、その長さ方向の中間部は揺動中心となる支軸部６として構成され、したがって、揺動アーム５は支軸部６から一方の方向に延在する基部５Ａと、支軸部６から他方の方向に延在する本体部５Ｂとを有し、揺動アーム５は支軸部６を中心として揺動する。
揺動アーム５は、より詳細には、本体部５Ｂは、ターンテーブル３Ａに装着された光ディスク１Ａの厚さ方向に重ねられ一体的に揺動する３つのアームで構成されている。これら３つのアームは、光ディスク１Ａに近い順から第１アーム１８、第２アーム１９、第３アーム２２である。
【００１５】
支軸部６は、シャーシ４から突設された支軸３１０２と、ベアリングユニット３１と、筒部４９などで構成され、基部５Ａと筒部４９は一体に設けられている。
ベアリングユニット３１のハウジング（アウターレース）３１０４が、第３アーム２２の穴４８に挿通され、さらに、筒部４９の内周部に挿通され、それらハウジング３１０４、第３アーム２２の穴４８、筒部４９の内周部が接着により固定され、シャーシ４から突設された支軸３１０２がベアリングユニット３１に挿入されている。
したがって、支軸３１０２を支点として基部５Ａと第３アーム２２が一体に揺動する。
【００１６】
基部５Ａは枠状を呈し、基部５Ａにはコイル３２Ａ（図３参照）が設けられ、基部５Ａとコイル３２Ａによりコイルボビンユニット３２が構成されている。
コイル３２Ａと電気回路基板１１はフレキシブル基板１０（図１参照）により接続されている。
【００１７】
第３アーム２２は、鉄系又は銅系の合金でできた厚さ1ｍｍ以下程度の板金で構成され、変形しないように剛性が確保されている。
第３アーム２２には、ハンダが付きやすいように、銅めっき（鉄系材料の場合）又はハンダめっき等が施されている。このように第３アーム２２にめっきを施す理由は、この第３アーム２２に対して、集積ＯＰユニット１７、磁気回路７１をハンダ付けで固定するためである。
【００１８】
第３アーム２２は長さを有し、穴４８はその長さ方向の一端に形成されている。
第３アーム２２の他端には矩形状の穴２２Ａが形成されている。
穴２２Ａには、集積ＯＰユニット１７が実装されている。
図９に示すように、集積ＯＰユニット１７は、光ディスク１Ａからの反射光ビーム受光する受光素子を構成するフォトディテクタ２９、３０（以後ＰＤ）や電気回路が形成されたシリコン基板１７Ａの表面に、光ディスク１Ａに光ビームを出射する光源を構成する半導体レーザー２７、ビームスプリッター２８（以後ＢＳ）などが実装されたものである。
本実施例ではシリコン基板１７Ａは幅３ｍｍ、長さ４ｍｍ、厚さ０．３ｍｍ程度の寸法で形成され、ＰＤ２９、３０、半導体レーザー２７、ＢＳ２８が穴２２Ａの内側に位置するようにシリコン基板１７Ａが、光ディスク１Ａから離れた側の第３アーム２２の面に当て付けられハンダにより固着される。
また、光ディスク１Ａに臨む第３アーム２２の面から穴２２Ａを覆うように、凹レンズ付きカバーガラス１６が接着固定されている。
凹レンズ付きカバーガラス１６は、矩形板状の透明なガラス板で構成され、そのほぼ中央に凹レンズ５３が形成されている。本実施例では凹レンズ付きカバーガラス１６は幅３ｍｍ、長さ４ｍｍ、厚さ０．３ｍｍ程度の寸法で形成され、凹レンズ５３は直径０．３ｍｍで形成されている。
より詳細には、まず、集積ＯＰユニット１７が穴２２Ａ内に臨むように第３アーム２２に固着され、その後、凹レンズ付きカバーガラス１６が、その凹レンズ５３が集積ＯＰユニット１７から発光される光ビームの光軸に合うように不活性ガス中で位置調整され、第３アーム２２に接着固定される。
これにより、凹レンズ付きカバーガラス１６と集積ＯＰユニット１７と穴２２Ａの内周で密閉された空間には不活性ガスが封入されるため、ごみ混入と半導体レーザー２７の腐食が防止されている。
また、集積ＯＰユニット１７と凹レンズ５３は、その間の距離精度も重要で、光学系にもよるが数μｍ〜１０μｍ程度の精度が要求される。
この精度は一般的な板金の板厚精度だけでは出せない値である。したがって、第３アーム２２にかけるめっきの厚さをコントロールすることでこの精度を実現している。
【００１９】
第３アーム２２は、長さと直交する方向の幅を有し、穴４８の中心を通りかつ前記幅方向の中心を通る仮想線に対して集積ＯＰユニット１７は傾きをもって配置されている。
本実施例の光ディスク装置１００の光ピックアップ装置２００は揺動アームタイプであり、光ディスク１Ａの内外周にアクセスすると、記録トラックに対しアジマス角が発生する。アジマス角が発生するとトラッキングエラー信号の感度が悪くなる。その悪化を最小限に抑えるために、アクセスエリアのほぼ中央でアジマス角が０度になるように集積ＯＰユニット１７は上述のように傾きをもって（角度をつけて）配置されている。
【００２０】
図６に示すように、集積ＯＰユニット１７のシリコン基板１７Ａの裏面にはフレキシブル基板２５が取り付けられている。
フレキシブル基板２５にはランド部（導体露出部）が設けられており、これらランド部が、フォトディテクタ２９、３０、前記電気回路、半導体レーザー２７に導通されシリコン基板１７Ａの裏面に設けられた電気端子と直接圧着することにより、電気的な導通をとられる。
集積ＯＰユニット１７はフレキシブル基板２５を通して電気回路基板１１と電気的な導通をとっている。
【００２１】
第３アーム２２の他端寄りの箇所には矩形状の穴２２Ｂが形成され、磁気回路７１は穴２２Ｂを介して第３アーム２２に配置されている。
磁気回路７１はマグネット２４とマグネットヨーク２３により構成され、後述するコリメータレンズ・アクチュエータ部７４を駆動するためのものである。
マグネット２４は表裏の２極着磁されており、マグネットヨーク２３は基部とこの基部から起立され間隔をおいて対向する２つのヨーク片を有し、磁性をもつ鉄材で出来ており、銅めっき又はハンダめっき等のハンダの良く付くめっきが施されている。マグネット２４は、２つのヨーク片の一方に取着され、マグネット２４から出た磁束は、空間ギャップを通過し、他方のヨーク片を通って閉磁路を形成している。
マグネットヨーク２３は、前記２つのヨーク片部分が第３アーム２２に設けられた開口２２Ｂを介して上方に臨んだ状態で、前記基部が第３アーム２２の下面に固定される。この固定はハンダ又は接着で行われるが、接着固定の場合は第３アーム２２の銅めっき又はハンダめっきは不要となる。
また、第３アーム２２の一端寄り箇所には、絞り部５２が上方に突出形成され、絞り部５２を挟む第３アーム２２の対向する両側の縁部には第３アーム２２の延在方向に間隔をおいて２つの凸部４４がそれぞれ設けられている。
なお、本実施例では、第３アーム２２、凹レンズ付カバーガラス１６、集積ＯＰユニット１７、磁気回路７１などでＯＰベース部７２が構成されている。
【００２２】
第２アーム１９は長さを有し、第２アーム１９は、その長さ方向に並べられた支持ばねマウント部４７と、支持ばねロードビーム５４とを備えている。
支持ばねマウント部４７と支持ばねロードビーム５４は、２つの板ばね５５で連結されている。
したがって、第２アーム１９は２つの板ばね５５を介して光ディスク１Ａの厚さ方向に弾性変形可能である。
支持ばねマウント部４７は、本実施例では、厚さが０．３ｍｍ以下程度の鉄系又は銅系の板金で構成され、変形しないように剛性が確保されている。
支持ばねマウント部４７は、４つの爪部（折り曲げ部）４３が第３アーム２２の４つの凸部４４にハンダ付けで固定されている。支持ばねマウント部４７が鉄系材料で構成されている場合は、少なくとも爪部４３に銅めっき又はハンダめっきが施されている。
したがって、第２アーム１９は第３アーム２２と一体に揺動する。
支持ばねマウント部４７には、第１アーム１８を取り付けるための穴４２が形成されている。
支持ばねロードビーム５４も厚さが０．３ｍｍ以下程度の鉄系又は銅系の板金で構成され、変形しないように剛性が確保されている。
支持ばねロードビーム５４には、磁気回路７１を挿通するための穴５４Ａが形成されている。
２つの板ばね５５は厚さが０．１ｍｍ以下の薄い鉄系材料又は銅系のばね材で構成され、長さ方向の両端が、支持ばねマウント部４７と支持ばねロードビーム５４にそれぞれポイント溶接で固着されている。
【００２３】
支持ばねロードビーム５４の先端部には、１／４波長板１４とレンズプレート１５が重ね合わせて貼り付けられている。
本実施例において、１／４波長板１４は幅３ｍｍ、長さ３ｍｍ、厚さ０．１ｍｍ程度の矩形板状に形成されている。
レンズプレート１５は幅３ｍｍ、長さ３ｍｍ、厚さ０．３ｍｍ程度の矩形板状のガラス板で構成され、ほぼ中央に直径０．５ｍｍ程度のコリメータレンズ１５Ａが設けられている。
駆動コイル２０は、支持ばねロードビーム５４が第１アーム１８に臨む面に接着固定されている。
駆動コイル２０は第３アーム２２の磁気回路７１と組み合わせてボイスコイルモータを構成している。このボイスコイルモータにより、支持ばねロードビーム５４は上下に駆動される。言い換えると、前記ボイスコイルモータはコリメータレンズ１５Ａの上下移動用の前記フォーカシングアクチュエータ９０（図４、図５参照）を構成している。
駆動コイル２０と電気回路基板１１とを電気的に導通させるフレキシブル基板２１が設けられ、フレキシブル基板２１は、支持ばねマウント部４７および支持ばねロードビーム５４が第１アーム１８に臨む面に接着固定されている。
なお、第２アーム１９が第３アーム２２に位置決め固定された後、磁気回路７１は、第２アーム１９の駆動コイル２０の位置に合わせて位置決めされ第３アーム２２に固定される。
本実施例では、１／４波長板１４とレンズプレート１５と第２アーム１９と駆動コイル２０とフレキシブル基板２１とでコリメータレンズ・アクチュエータ部７４が構成されている。
【００２４】
図８に示すように、第１アーム１８は長さを有し、長さ方向に並べられたサスペンション・マウント部４５と、サスペンション・ロードビーム６２とを備えている。
スペンション・マウント部４５とサスペンション・ロードビーム６２は、板ばね６３で連結されている。
サスペンション・マウント部４５は、厚さが０．３ｍｍ以下程度の鉄系又は銅系の板金で矩形板状に構成され、変形しないように剛性が確保されている。
サスペンション・マウント部４５は、短辺が第１アーム１８の長手方向と平行するように設けられている。
サスペンション・マウント部４５の中央には下方向に打ち出し部（バーリング）４１が施されている。
打ち出し部４１は第２アーム１９の支持ばねマウント４７の穴４２に対してカシメ又は溶接によって固着されている。カシメ又は溶接前の打ち出し部４１の外径と穴４２の内径は、１０μｍ以下程度のはめあい隙間で形成されている。
したがって、第１アーム１８は第２アーム１９とともに第３アーム２２と一体に揺動する。
サスペンション・マウント部４５の２つの短辺の中央箇所には、後述する組み付け調整用のＶ字形の切り欠き４６が設けられている。
【００２５】
サスペンション・ロードビーム６２は、厚さが０．３ｍｍ以下程度の鉄系又は銅系の板金で構成され、変形しないように剛性が確保されている。
サスペンション・ロードビーム６２の先端（長さ方向の一端）に浮上スライダー１３が接着固定されている。
本実施例では、浮上スライダー１３に、集積ＯＰユニット１７から出射された光ビームを光ディスク１Ａに収束させるための対物レンズ６１が埋め込まれている。
板ばね６３は厚さが０．１ｍｍ以下の薄い鉄系材料又は銅系のばね材で構成されており、その両側がサスペンション・マウント部４５とサスペンション・ロードビーム６２にポイント溶接で固着されている。
したがって、第３アーム２２は、２つの板ばね６３を介して光ディスク１Ａの厚さ方向に弾性変形可能である。
また、板ばね６３は、光ピックアップ装置２００が光ディスク１Ａ上に位置した状態（使用状態）において、浮上スライダー１３が光ディスク１Ａに対して５ｇｆ以下程度の押し付け力が働くように、予め曲げ加工が施されている。
本実施例では、第１アーム１８と対物レンズ付き浮上スライダー１３などでスライダー・サスペンション部７６が構成されている。
【００２６】
また、サスペンション・ロードビーム６２の板ばね６３寄りの箇所には、図２に示すように第３アーム２２の磁気回路７１部分を逃げるための穴６０が設けられている。
図４に示すように、マグネットヨーク２３の各ヨーク片の上端には、穴６０に臨ませて穴６０の輪郭よりも大きな輪郭を有するサスペンションストッパー２６が取着され、サスペンションストッパー２６の部分が穴６０の縁部に当接することでサスペンション・ロードビーム６２の上方への移動（光ディスク１Ａに近接する方向への移動）が規制されるようになっている。
各切り欠き４６は、スライダー・サスペンション部７６とコリメータレンズ・アクチュエータ部７４とをアセンブリしたものを、第３アーム２２に調整固定する際、治具により両側からピンでクランプするために使用される。
【００２７】
ここで、浮上スライダー１３について詳細に説明する。
サスペンション・ロードビーム６２の先端に設けられた開口内には、中心に接着穴５７が形成された環板状の接着部５９が設けられ、接着部５９の外周には接着部５９よりも大きな中間リング６５が設けられ、接着部５９と中間リング６５の間、および、中間リング６５と前記開口の縁部との間が幅細のばね部によって連結されている。これら中間リング６５とばね部によって、浮上スライダー１３のロール・ピッチ方向の傾きを吸収するためのフレクチュアと呼ばれるヒンジばね部が構成されている。このヒンジばね部はサスペンション・ロードビーム６２からエッチング及びハーフエッチング法により形成される。
浮上スライダー１３は、その中心が接着穴５７と合致するようにサスペンション・ロードビーム６２の上面に載置され、下面から接着穴５７に接着剤を流し込み硬化させることで固着される。
光ビームは図８中下側より入射され、前記ヒンジばね部の隙間５８を通って浮上スライダー１３の対物レンズ６１に入射される。
本実施例において、浮上スライダー１３は、対物レンズ６１の位置にもよるが、最大±２０度程度のＳｋｅｗ角を持って取り付けることが可能である。本実施例において、Ｓｋｅｗ角とは、第１アーム１８の長手方向とスライダー１３の長さ方向のなす角度であり、第１アーム１８の長手方向とスライダー１３の長さ方向が平行であればＳｋｅｗ角は０度となる。
なお、本実施例では、Ｓｋｅｗ角を持って浮上スライダー１３を取り付けても、ヒンジばね部の隙間５８を通る光が接着部５９に干渉しないようにヒンジ部および接着部５９が設けられている。
また、第１アーム１８の長手方向と直交する方向において、中間リング６５を挟む前記開口の縁部には、前記ヒンジばね部と同じようなハーフエッチング部６６が設けられている。これは外乱衝撃等により浮上スライダー１３が下方向に力を受けた時に、浮上スライダー１３に係止することで、浮上スライダー１３が前記ヒンジばね部にぶつかることを防止して前記ヒンジばね部の塑性変形を回避するストッパーとして機能する。
【００２８】
浮上スライダー１３はガラスによって構成され、幅２．８ｍｍ、長さ２ｍｍ、厚さ０．６ｍｍ程度の矩形板状に形成され、浮上スライダー１３は、光ディスク１Ａのディスク記録面に対面するエア・ベアリング・サーフェースを有している。すなわち、光ディスク１Ａに臨む上面にはＨＤＤの浮上スライダーと同様なエアベアリング用レール形状が設けられ、このレール形状の表面（エア・ベアリング・サーフェース）と光ディスク１Ａの表面（ディスク記録面）間にエアベアリングを形成することで浮上スライダー（フライングヘッド）として機能する。
本実施例では、光ディスク１Ａの線速度にもよるが、０．１μｍ〜１μｍ程度の浮上量で浮上するように設計されている。
【００２９】
ここで、レンズプレート１５および浮上スライダー１３の製造方法について図１０を参照して説明する。
まず、レンズプレート１５から説明する。
図１０（Ａ）、（Ｂ）に示すように、一般的なガラスモールドによるレンズの製造と同様に、上下の金型Ａ、Ｂにより凹部９２が形成された成形ガラス９０を成形する。従来小型のモールドレンズを作る際、金型を加工するバイトの大きさに限界があり、小型化の制約を受けていた。
しかしここでは金型Ａを凸形状にすることで、金型加工でバイトの大きさの制約を受け難いので、小型レンズの製造が可能になっている。
次いで、図１０（Ｃ）に示すように、その成形ガラス９０の凹部９２を埋めるほどの厚さに、酸化ニオブ等からなる高屈折率の材料９４をスパッタリングにより膜付けする。
その後、図１０（Ｄ）に示すように、ガラスの凹部９２にのみ高屈折率の材料９４が残るまで成形ガラス９０の研磨を行う。以上によりできた高屈折部がガラス面を透過する光に対して凸レンズとして機能することによりコリメータレンズ１５Ａを構成する。
【００３０】
また、浮上スライダー１３は次のように製造される。
すなわち、図１０と同様の工程によって対物レンズ６１を作った後、対物レンズ６１の平坦面に臨む浮上スライダー１３にガラスを貼り付ける。
次いで、貼り付けたガラスの外面に、イオンミリング等のドライエッチング法により、浮上スライダーとしてのレール面形状を作る。
最後にスライダー形状に切り出すことで完成する。
また、凹レンズ付カバーガラス１６は、図１０と同様の工程によって凹レンズ５３を作った成形ガラスをそのまま使用する。
【００３１】
次に、光ピックアップ装置２００の組み立てについて説明する。
図４、図５に示すように、まず、スライダー・サスペンション部７６の打ち出し部４１をコリメータレンズ・アクチュエータ部７４の穴４２に挿入しカシメ又は溶接により固着することで、スライダー・サスペンション部７６とコリメータレンズ・アクチュエータ部７４を一体化する。
次いで、スライダー・サスペンション部７６の２ヶ所の切り欠き部４６を調整治具によりクランプし、一体化されたコリメータレンズ・アクチュエータ部７４およびスライダー・サスペンション部７６の位置と傾きを調整し、ＯＰベース部７２に対して位置決めする。
そして、コリメータレンズ・アクチュエータ部７４の４つの爪部４３を第３アーム２２の４つの凸部４４に重ね合わせて爪部４３と凸部４４の隙間をハンダで埋める。また、サスペンション・マウント部４５の打ち出し部４２の内周に第３アーム２２の絞り部５２を挿入し打ち出し部４２と絞り部５２の隙間も剛性を高めるためにハンダで埋める。これにより、ＯＰベース部７２とコリメータレンズ・アクチュエータ部７４とスライダー・サスペンション部７６が一体化される。
なお、ここでは、ＯＰベース部７２とコリメータレンズ・アクチュエータ部７４とスライダー・サスペンション部７６を固着するためにハンダを用いた場合について説明したが、ハンダに代えて接着剤を用いてもよい。しかしながら、ハンダを用いて固着した場合には、剛性を高める、温度による位置ずれを抑制して信頼性を確保する、アースをとる等の点で有利である。また、スライダー・サスペンション部７６の打ち出し部４１とコリメータレンズ・アクチュエータ部７４の穴４２とをカシメ又は溶接により固着したのは、このようなハンダ付けによる高温に対して十分な耐久性を確保するためである。
次に、ベアリングユニット３１を第３アーム２２の穴４８および基部５Ａの筒部４９に挿通する。ここで、筒部４９のボス５１（図５参照）が第３アーム２２の切り欠き部５０に嵌合されることで基部５Ａ（コイルボビンユニット３２）の第３アーム２２に対するベアリングユニット３１の揺動軸を中心とする回転方向の位置決めがされる。
そして、ベアリングユニット３１のハウジング３１０４に対して第３アーム２２の穴４８および基部５Ａの筒部４９をそれぞれ接着固定することで、ＯＰベース部７２、コリメータレンズ・アクチュエータ部７４、スライダー・サスペンション部７６、基部５Ａが一体化され、図３に示すように光ピックアップ装置２００が組み立てられる。
したがって、本体部５Ｂは、ＯＰベース部７２、コリメータレンズ・アクチュエータ部７４、スライダー・サスペンション部７６がこの順番で下から上に重ね合わされて構成されることになる。
【００３２】
光ピックアップ装置２００のシャーシ４への取り付けは、ベアリングユニット３１の支軸３１０２をその軸心を光ディスク１の厚さ方向と一致させた状態でシャーシ４に従来公知の取り付け構造（例えばねじ止め）によって取り付けることでなされ、これにより、揺動アーム５がベアリングユニット３１を介して支軸３１０２回りに揺動可能に取り付けられることになる。
【００３３】
次に、図９を参照して、光ピックアップ８の光学系について説明する。
本実施例において、光ピックアップ８は、集積ＯＰユニット１７、凹レンズ５３、コリメータレンズ１５Ａ、１／４波長板１４、対物レンズ６１を有している。
半導体レーザー２７から出射された直線偏光のレーザー光からなる光ビームは、ＢＳ２８の４５度面により図９の上方に反射される。
光ビームは凹レンズ５３により発散角を拡大され、コリメータレンズ１５Ａへと入射する。このように凹レンズ５３により発散角を大きくすることで、コリメータレンズ１５Ａと凹レンズ付きガラスプレート１６の距離を短くでき、光ピックアップ８の薄型化に貢献している。また、凹レンズ５３により発散角を大きくすることで、コリメータレンズ１５Ａの開口数を上げることができ、コリメータレンズ１５Ａの上下動ストロークが同じ場合、より大きな焦点位置補正が可能になる。
【００３４】
光ビームはコリメータレンズ１５Ａにより平行光にされ、１／４波長板１７を通過する。その際、偏光が直線偏光から円偏光へ変化する。
そして、対物レンズ６１により集光され、ガラス製のスライダー１３を透過し、光ディスク１Ａの記録面上で焦点を結ぶ。
光ディスク１Ａの記録面から反射された反射光ビームは、往路と同様の光路を戻り、対物レンズ６１で再び平行光にされる。その後、再度１／４波長板１７を通り、今度は円偏光から直線偏光に戻される。その際、直線偏光は先ほどの行きの偏光方向とは直角方向の直線偏光に変わっており、ＢＳ２８の４５度面を通過する偏光方向になっている。
ＢＳ２８の４５度面を通過した光は、ガラスの屈折率により屈折し、ＰＤ２９上に投影される。また、ＰＤ２９に導かれた光のうち、ＢＳ２８の下面で反射された光は反射して再度ＢＳ２８の上面で反射され、別のＰＤ３０上に投影される。
この光学系は光ディスク１Ａの記録面にちょうど焦点が合った時に、ＢＳ２８の上面反射で焦点を結ぶように設計されている。その時、２つのＰＤ２８、３０上に投影される光の２つのスポットは、同じ光量になる。
２つのＰＤ２８、３０はそれぞれ４個に分割されており、フォーカスやトラッキングの誤差検出にも使用できるようになっている。ちなみに本実施例で使用している誤差検出方法は、フォーカスがスポットサイズ法、トラッキングがプッシュプル法という方式である。
【００３５】
次に、トラッキングサーボとフォーカスサーボについて説明する。
本実施例では、トラッキングサーボを、ボイスコイルモータからなる揺動モータ１０５により揺動アーム５を駆動することで実現しており、ＨＤＤでは広く一般的に用いられている。
一方、フォーカスサーボについては、ＨＤＤで一般的に採用されている浮上スライダーによるディスク面振れ追従を行っている。
光ディスク１Ａが回転することにより、その付近の空気も同時に回転し、浮上スライダー１３と光ディスク１Ａの間に入り込む。その空気による圧力で浮上スライダー１３は浮上力を得、第１アーム１８による荷重と丁度つりあったところで一定の浮上量を保つものである。
本実施例では、０．１μｍ〜１μｍ程度の浮上量で設計されているが、光ディスク１Ａの線速度の変化や、浮上スライダー１３のトラックに対する角度ずれ、更には光ディスク１Ａの面振れ等により浮上量は変動してしまい、対物レンズ６１により絞られた焦点位置を変動させてしまう。また、対物レンズ６１自体の焦点位置精度や、浮上スライダー１３の機械的精度も焦点位置をずらす要因となる。
更に、光ディスク１Ａのデータ記録層は光ディスク１Ａの表面に位置するのではなく、カバーコート層（保護膜層）によって覆われている。よって信号を記録／再生する場合、このカバーコート層の厚み誤差も焦点ずれを発生させる要因となる。
カバーコート層はデータ記録層の保護だけでなく、光ディスク１Ａ表面のごみやキズに対して、記録／再生エラーを発生させにくくする役割もあり、光ディスク１Ａには必須のものである。
カバーコート層は、本実施例の場合、２０μｍ程度の厚みで、スピンコート法により作られる。ディスク径にもよるが、ディスクの内周〜外周で５μｍ〜１０μｍ以下程度の厚みむらが生じる。一周内でも１μｍ以下程度の厚みむらが生じる。
これら諸々の焦点誤差の合計がレーザースポットの焦点深度以内に収まっていれば、浮上スライダーのみでフォーカスサーボを賄うことができるがそれは無理である。例えば、ＣＤ（コンパクトディスク）の光学系の焦点深度でも±１μｍに過ぎず、諸々の焦点誤差の合計は前記焦点深度を上回っている。
したがって、上述した焦点誤差の変動を補正できる別の手段が必要であり、本実施例ではその手段をコリメータレンズ・アクチュエータ部７４によって実現している。
図１１に示すように、フォーカシングアクチュエータ９０によりコリメータレンズ１５Ａを光軸方向に動かすことで、対物レンズ６１により集光される焦点位置を動かすことができ、焦点誤差の変動を補正することができる。
焦点位置の移動量は対物レンズ６１の開口数とコリメータレンズ１５Ａの開口数によって決定される。本実施例の場合、対物レンズ６１の開口数が０．９程度、コリメータレンズ１５Ａの開口数が０．３程度である。そこから計算すると、焦点位置を１μｍ動かすためには、コリメータレンズの移動量は８μｍ程度となる。
【００３６】
図１、図１３に示すように、ターンテーブル３Ａに装着された光ディスク１Ａの外周の近傍箇所にはランプロード９が配設されている。
ランプロード９は、揺動アーム５の揺動により揺動アーム５の先部がターンテーブル３Ａに装着された光ディスク１Ａから該光ディスク１Ａの径方向に離れる際に、係合片６４に係合して第１アーム１８の先部を弾性変形させ浮上スライダー１３を光ディスク１Ａから該光ディスク１Ａの厚さ方向に離れた箇所に位置させるガイド面９００２を有している。
図３に示すように、係合片６４は、浮上スライダー１３が取着された第１アーム１８の箇所に対して光ディスク１Ａから離れる方向に位置した箇所に設けられ、ランプロード９のガイド面９００２に係合可能に構成されている。
本実施例では、第１アーム１８は、対物レンズ６１と浮上スライダー１３が設けられたサスペンション・ロードビーム６２（特許請求の範囲の本体片に相当）を有し、サスペンション・ロードビーム６２の先部に該先部から屈曲し光ディスク１Ａの厚さ方向で光ディスク１Ａから離れる方向に延在する屈曲片６７が設けられ、係合片６４は屈曲片６７の先端に設けられている。
本実施例では、第１アーム１８、すなわち、サスペンション・ロードビーム６２は、図１２に示すように、第１アーム１８の長さと直交する方向の幅を有しており、係合片６４および屈曲片６７は、平面視した場合、前記幅方向の中心を通る仮想線Ｌ上を延在するように設けられている。
また、本実施例では、光ディスク１Ａの厚さ方向における第１アーム１８と係合片６４との距離は、装着の際に光ディスク１Ａとランプロード９との距離が最も近接した状態でランプロード９と光ディスク１Ａとが接触しない値となるように設定されている。
【００３７】
図１３に示すように、揺動アーム５は前記ボイスコイルモータの作用によって支軸部６を中心に揺動され、図１２に示すように、揺動アーム５は、浮上スライダー１３が光ディスク１Ａの記録面の領域上に位置するロード位置（イ）と浮上スライダー１３が光ディスク１Ａの外周から光ディスク１Ａの径方向外側に離れたアンロード位置（ロ）とにわたって揺動される。
光ディスク１Ａがスピンドルモータ３により回転されている状態において、揺動アーム５がロード位置（イ）からアンロード位置（ロ）方向に向かって揺動されると、係合片６４がランプロード９のガイド面９００２に係合する。
この状態でさらに揺動アーム５が揺動されると、係合片６４がガイド面９００２に係合された状態でガイド面９００２の傾斜に沿って移動される。
これにより、第１アーム１８は光ディスク１Ａの厚さ方向で光ディスク１Ａから放れる方向に弾性変形され、浮上スライダー１３が光ディスク１Ａの表面上から離れる方向に移動される。
揺動アーム５がアンロード位置（ロ）に至ると、浮上スライダー１３は光ディスク１Ａの外周から光ディスク１Ａの径方向外側に離れ、かつ、光ディスク１Ａから光ディスク１Ａの厚さ方向で光ディスク１Ａから離れた箇所に位置する。
この状態で、第１アーム１８は光ディスク１Ａの厚さ方向で光ディスク１Ａに近づく方向に付勢されている。
なお、揺動アーム５がアンロード位置（ロ）に位置した状態では、揺動アーム５がディスクカートリッジ１の移動軌跡上から退避するため、ディスクカートリッジ１の光ディスク装置１００に対する装脱、すなわち、光ディスク１Ａをターンテーブル３Ａに取り付けたり、光ディスク１Ａをターンテーブル３Ａから取り外すことが可能となっている。
【００３８】
次に作用効果について説明する。
図１４に示すように、ディスクカートリッジ１を光ディスク装置１００に装着すると、カートリッジ２の内部の光ディスク１Ａは、ターンテーブル３Ａにチャッキングされるまでの間は姿勢が定まらない。なお、図１４において符号２Ａはカートリッジ２の開口部である。
しかしながら、本実施例では、係合片６４が浮上スライダー１３が取着された第１アーム１８の箇所に対して光ディスク１Ａから離れる方向に位置した箇所に設けられているため、ランプロード９のガイド面９００２を、光ディスク１Ａから該光ディスク１Ａの厚さ方向に離れた位置に配置することが可能となる。
このため、ランプロード９のガイド面９００２が光ディスク１Ａから光ディスク１Ａの厚さ方向に離れた箇所に位置することによって、ランプロード９と光ディスク１Ａとの接触を確実に回避することができる。
したがって、本実施例によれば、係合片６４を、浮上スライダー１３が設けられた第１アーム１８の箇所に対して光ディスク１Ａの厚さ方向に離れた箇所に設けるという簡単な構成で、光ディスク１Ａとランプロード９との接触を確実に回避することができる。
また、本実施例では、係合片６４は第１アーム１８の幅方向の中心を通る仮想線上を延在するように設けられているので、より詳細には、係合片６４および屈曲片６７は第１アーム１８の幅方向の中心を通る仮想線上を延在するように設けられているので、ランプロード９のガイド面９００２に係合した場合にガイド面９００２から受ける力で第１アーム１８にねじれのトルクを与えることがない。
したがって、ねじれのトルクにより第１アーム１８にねじれが生じ、浮上スライダー１３が傾いた姿勢で光ディスク１Ａに対しロード／アンロードされて、浮上スライダー１３と光ディスク１Ａとが衝突したり、接触して互いに損傷を与えるたり、ヘッドクラッシュを招くといった不具合が発生することを回避する上で有利となる。
また、本実施例では、係合片６４を設けるに際し、第１アーム１８のサスペンション・ロードビーム６２の先部に屈曲片６７を設け、この屈曲片６７を利用して係合片６４を設けるようにしたので、浮上スライダー１３が取着されたサスペンション・ロードビーム６２の箇所に対して光ディスク１Ａから離れる方向に位置する係合片６４をサスペンションロードビーム６２に簡単に一体成形でき、製造コストを削減する上で有利となる。
【００３９】
次に本実施例と比較例を比較して説明する。
図１５は比較例１におけるロード／アンロード動作の説明図、図１６は比較例１における光ディスク１Ａとランプロード９との位置関係を示す説明図である。なお、以下の説明では実施例１と同様な箇所、部材に同一の符号を付して説明する。
図１５に示すように、比較例１では、係合片６４を、浮上スライダー１３が設けられた第１アーム１８の箇所に対して光ディスク１Ａの厚さ方向で同じ箇所に設けている。
したがって、ランプロード９のガイド面９００２が光ディスク１Ａに近接した位置に配置されているので、図１６に示すように、ディスクカートリッジ１の装着時にランプロード９と光ディスク１Ａとの接触が生じるおそれがある。
これに対して実施例１では、係合片６４を、浮上スライダー１３が設けられた第１アーム１８の箇所に対して光ディスク１Ａの厚さ方向に離れた箇所に設けることで、ランプロード９のガイド面９００２を、光ディスク１Ａから該光ディスク１Ａの厚さ方向に離れた位置に配置することが可能となる。このため、ランプロード９のガイド面９００２が光ディスク１Ａから光ディスク１Ａの厚さ方向に離れた箇所に位置することによって、光ディスク１Ａとランプロード９との接触を回避することができ、この点で有利である。
【００４０】
図１７は、比較例２における光ディスク１Ａとランプロード９との位置関係を示す説明図である。
図１７に示すように、比較例２では、ランプロード９を光ディスク１Ａの半径方向に移動可能に構成することで、ディスクカートリッジ１の装着時にランプロード９を光ディスク１Ａから離れる方向に退避させることで、ランプロード９と光ディスク１Ａとの接触を回避させ、光ディスク１Ａがターンテーブル３Ａに装着された後でランプロード９を光ディスク１Ａに近づける方向に移動させている。
しかしながら、ランプロード９を光ディスク１Ａの半径方向に移動させるためには、モータ等による送りユニットを設けなくてはならず、構成が複雑でコストもかかり、また、スペースを占有することになり、コスト削減および小型化を図る上で不利がある。
これに対して実施例１では、係合片６４を、浮上スライダー１３が設けられた第１アーム１８の箇所に対して光ディスク１Ａの厚さ方向に離れた箇所に設けることで、ランプロード９のガイド面９００２を、光ディスク１Ａから該光ディスク１Ａの厚さ方向に離れた位置に配置することが可能となる。このため、ランプロード９のガイド面９００２が光ディスク１Ａから光ディスク１Ａの厚さ方向に離れた箇所に位置することによって、光ディスク１Ａとランプロード９との接触を回避することができ、構成が簡素でコストがかからず、また、占有スペースも少なくて済み、コスト削減および小型化を図る上で有利である。
【００４１】
図１８は、比較例３における光ディスク１Ａとランプロード９との位置関係を示す説明図である。
図１８に示すように、比較例３は、係合片６４を、浮上スライダー１３が設けられた第１アーム１８の箇所に対して光ディスク１Ａの厚さ方向で同じ箇所で、かつ、第１アーム１８の幅方向の中心を通り長さ方向に延在する中心軸に対して直交する方向に所定距離Ｄだけ離した箇所に設けている。
この場合には、比較例１の場合に比較してランプロード９を光ディスク１Ａの外周から径方向外方に所定距離Ｄだけ離すことができるので、ディスクカートリッジ１の装着時にランプロード９と光ディスク１Ａとの接触を回避することができる。
しかしながら、係合片６４が第１アーム１８の中心軸に対して直交する方向に所定距離Ｄだけ離した箇所に位置しているため、ランプロード９から受ける力で第１アーム１８にねじれのトルクを与えてしまう。そのトルクにより第１アーム１８にねじれが生じ、浮上スライダー１３が傾いた姿勢で光ディスク１Ａに対しロード／アンロードしなければならないことになる。
したがって、比較例３では、浮上スライダー１３が傾いた姿勢でロード／アンロードされることから、浮上スライダー１３と光ディスク１Ａとが衝突しやすくキズを発生させたり、ヘッドクラッシュを招くおそれがある。
これに対して、実施例１では、係合片６４および屈曲片６７は、第１アーム１８の幅方向の中心を通る仮想線Ｌ上を延在するように設けられているため、前記ねじれのトルクが発生せず、浮上スライダー１３と光ディスク１Ａとの衝突や接触による損傷、あるいは、ヘッドクラッシュといった不具合を確実に回避できる点で有利となる。
【００４２】
なお、本実施例では、装脱される光ディスクに対して記録および／または再生を行う光ディスク装置について説明したが、本発明は、装脱される磁気ディスクに対して記録および／または再生を行う磁気ディスク装置にも無論適用可能であり、その場合には磁気ディスク装置は次のように構成される。
磁気ディスク装置は、磁気ディスクを着脱可能に保持し前記磁気ディスクを保持した状態で回転するターンテーブルと、前記ターンテーブルに装着された磁気ディスクの径方向に揺動可能に設けられた揺動アームと、前記揺動アームの先部に設けられ、回転する前記磁気ディスクに対して情報の記録および／または再生を行う磁気ヘッドとを備える。
前記揺動アームは、長さを有し前記磁気ディスクの厚さ方向に弾性変形可能でその長さ方向の先部に、前記磁気ヘッドが設けられると共に浮上スライダーが設けられ、かつ、該揺動アームの先部を前記磁気ディスクの厚さ方向に弾性変形させるための係合片が設けられる。
前記揺動アームの揺動により前記揺動アームの先部が前記ターンテーブルに装着された磁気ディスクから該磁気ディスクの径方向に離れる際に、前記係合片に係合して前記揺動アームの先部を弾性変形させ前記浮上スライダーを磁気ディスクから該磁気ディスクの厚さ方向に離れた箇所に位置させるガイド面を有するランプロードが設けられる。
前記係合片は、前記浮上スライダーが設けられた前記揺動アームの箇所に対して前記磁気ディスクの厚さ方向に離れた箇所に設けられている。
【図面の簡単な説明】
【００４３】
【図１】実施例１の光ディスク装置の構成を示す分解斜視図である。
【図２】光ディスク装置の制御系を示すブロック図である。
【図３】揺動アームの斜視図である。
【図４】揺動アームを上方から見た分解斜視図である。
【図５】揺動アームを下方から見た分解斜視図である。
【図６】ＯＰベース部の分解斜視図である。
【図７】コリメータレンズ・アクチュエータ部の分解斜視図である。
【図８】スライダー・サスペンション部の分解斜視図である。
【図９】光学系の原理図である。
【図１０】レンズプレートの製造方法を示す説明図である。
【図１１】コリメータレンズによる焦点位置補正の原理図である。
【図１２】第１アーム１８の平面図である。
【図１３】実施例１におけるロード／アンロード動作の説明図である。
【図１４】実施例１における光ディスク１Ａとランプロード９との位置関係を示す説明図である。
【図１５】比較例１におけるロード／アンロード動作の説明図である。
【図１６】比較例１における光ディスク１Ａとランプロード９との位置関係を示す説明図である。
【図１７】比較例２における光ディスク１Ａとランプロード９との位置関係を示す説明図である。
【図１８】比較例３における光ディスク１Ａとランプロード９との位置関係を示す説明図である。
【符号の説明】
【００４４】
１Ａ……光ディスク、３Ａ……ターンテーブル、５……揺動アーム、８……光ピックアップ、９……ランプロード、９００２……ガイド面、１３……浮上スライダー、１８……第１アーム、５４……係合片、１００……光ディスク装置。
【図１】
2006179103.tif 000003
【図２】
2006179103.tif 000004
【図３】
2006179103.tif 000005
【図４】
2006179103.tif 000006
【図５】
2006179103.tif 000007
【図６】
2006179103.tif 000008
【図７】
2006179103.tif 000009
【図８】
2006179103.tif 000010
【図９】
2006179103.tif 000011
【図１０】
2006179103.tif 000012
【図１１】
2006179103.tif 000013
【図１２】
2006179103.tif 000014
【図１３】
2006179103.tif 000015
【図１４】
2006179103.tif 000016
【図１５】
2006179103.tif 000017
【図１６】
2006179103.tif 000018
【図１７】
2006179103.tif 000019
【図１８】
2006179103.tif 000020